(57)【要約】【課題】  異なる色を発光する複数種の光源を有する照明装置を用いた表示装置において、ある色を発光する光源に不具合が発生した場合であっても、画像の視聴を可能として、視聴者の利便性を向上させることが可能な表示装置を提供する。【解決手段】  異なる色を発光する第１の光源１１と第２の光源１０とを複数有する照明装置と、該照明装置の照明光を入力映像信号に基づいて変調することにより画像表示を行う表示パネル３とを備えた表示装置において、前記第２の光源１０に不具合が発生した場合、該第２の光源１０の全部を消灯するとともに、少なくとも前記第１の光源１１を点灯する。これによって、視聴者は少ない違和感で画像の視聴を続行することができる。【選択図】  図２
2007147956.tif 000002
【特許請求の範囲】
【請求項１】
異なる色を発光する第１の光源と第２の光源とを複数有する照明装置と、
該照明装置の照明光を入力映像信号に基づいて変調することにより画像表示を行う表示手段とを備えた表示装置において、
前記第２の光源に対する輝度制御が不能となった場合、該第２の光源の全部を消灯するとともに、少なくとも前記第１の光源を点灯することを特徴とする表示装置。
【請求項２】
異なる色を発光する第１の光源と第２の光源とを複数有する照明装置と、
該照明装置の照明光を入力映像信号に基づいて変調することにより画像表示を行う表示手段とを備えた表示装置において、
前記第２の光源の少なくとも一部が不点灯となった場合、該第２の光源の全部を消灯するとともに、少なくとも前記第１の光源を点灯することを特徴とする表示装置。
【請求項３】
前記請求項１又は２に記載の表示装置において、
前記第２の光源の全部を消灯したことを、ユーザに報知することを特徴とする表示装置。
【請求項４】
前記請求項３に記載の表示装置において、
前記第２の光源の全部を消灯したことを、前記表示手段によってオンスクリーン表示することを特徴とする表示装置。
【請求項５】
前記請求項１乃至４のいずれかに記載の表示装置において、
前記第２の光源の全部を消灯しているとき、前記表示手段によるオンスクリーン表示の表示色を変化させることを特徴とする表示装置。
【請求項６】
前記請求項１乃至５のいずれかに記載の表示装置において、
前記第２の光源の全部を消灯しているとき、前記表示手段による画像の表示を継続することを特徴とする表示装置。
【請求項７】
前記請求項６に記載の表示装置において、
前記第２の光源の全部を消灯しているとき、前記入力映像信号の色相を変化させることを特徴とする表示装置。
【請求項８】
前記請求項７に記載の表示装置において、
前記第２の光源の全部を消灯しているとき、該第２の光源の不点灯による表示映像の色相の変化を補償するように、前記入力映像信号の色相を補正することを特徴とする表示装置。
【請求項９】
前記請求項１乃至８のいずれかに記載の表示装置において、
前記第１の光源は冷陰極管であることを特徴とする表示装置。
【請求項１０】
前記請求項１乃至８のいずれかに記載の表示装置において、
前記第２の光源は発光ダイオードであることを特徴とする表示装置。
【請求項１１】
前記請求項１乃至８のいずれかに記載の表示装置において、
前記第１の光源は発光ダイオードであることを特徴とする表示装置。
【請求項１２】
前記請求項１乃至８のいずれかに記載の表示装置において、
前記第２の光源は冷陰極管であることを特徴とする表示装置。
【発明の詳細な説明】
【技術分野】
【０００１】
本発明は、複数の色の異なる光源を有し、光変調パネルをその背面から照明する照明装置を備えた表示装置に関するものである。
【背景技術】
【０００２】
近年、液晶パネル等の光変調パネルを用いた非自発光型の表示装置においては、画面サイズの大型化に伴い、照明装置（バックライト装置）の光源に用いる蛍光管（以下、蛍光灯、ＣＣＦＬ、冷陰極管とも称す）が大型化するとともに、蛍光管の本数が増加する方向にある。そして、蛍光管の本数の増加に伴い、複数の蛍光管のうち１本が不点灯となった場合の措置が問題となる。
【０００３】
白色光を発光する蛍光管のみを複数本用いたバックライト装置においては、ランプ保護回路は複数本の蛍光管のうち少なくとも１本の蛍光管が不点灯に到ると、保護回路がマイコンに情報を伝えて、製品の電源を切る仕組みが一般的であり、１本の蛍光管の不点灯でも視聴ができなくなることになる。
【０００４】
この問題の改善案として、特開２００４−５３９８８号公報においては、例え１本の蛍光管が不点灯となった場合であっても、無闇に蛍光管駆動回路を強制的にオフすることなく、故障個所のみの不点灯処理をすることで、ユーザが安心して視聴を継続することを可能とするものが提案されている。
【０００５】
複数の白色蛍光管のみを用いたバックライト装置においては、複数の蛍光管のうち１本の蛍光管を不点灯にしても、表示画面全体の輝度に若干の不均一が発生するのみで、バックライト装置自体の色成分に変化がないため、表示される映像の色調の変化は生じない。そのため、１本の蛍光管を消灯したとしても、視聴者の感じる違和感は少なく、上述のような措置が可能となる。
【０００６】
ところで、近年、バックライト装置の光源として、蛍光管のみでなく、発光ダイオード（以下、ＬＥＤと称す）を採用する製品が登場している。ＬＥＤを採用する目的は、主に色再現範囲の拡大である。赤、緑、青の３原色をそれぞれ発光する３種類のＬＥＤを用いたバックライト装置や、コストと色再現性の拡大を両立するために、従来からの白色光を発光する蛍光管に特定の単色を発光するＬＥＤを組み合わせて用いたものなど、各種光源を用いたバックライト装置が開発されている。
【０００７】
例えば、白色を発光する蛍光管と赤色を発光するＬＥＤとの組み合わせによるバックライト装置によれば、白色蛍光管の赤波長の光量が十分とれない部分を、赤色ＬＥＤの発光により補うことが可能となり、特に赤の色再現範囲を拡大することができる。
【０００８】
このような異なる色を発光する複数種の光源を用いたバックライト装置において、ある色を発光する光源が不点灯となった場合は、前述の複数の白色蛍光管の一部が不点灯となった場合とは異なり、バックライト装置全体の色調が大きく変わり、表示される映像も不自然な色調となる。
【０００９】
例えば、上述の白色蛍光管と赤色ＬＥＤとの組み合わせによるバックライト装置において、赤色ＬＥＤが消灯した場合、表示映像の色は青、緑、シアンから構成されることになり、黄色が緑、マゼンダが青となってしまい、視聴者にとって違和感のある映像となってしまう。
【００１０】
また、メニュー等のオンスクリーン表示（以下、ＯＳＤ表示と称す）においても、上述の色調の変化により表示されない文字が発生してしまう。例えば、白色蛍光管と赤色ＬＥＤとの組み合わせによるバックライト装置を用いた場合、赤色ＬＥＤの消灯により、警告のための赤色文字のＯＳＤ表示が不鮮明となり、製品使用上問題となる。
【００１１】
これらの問題を防ぐために、複数の色の異なる光源を有するバックライト装置においては、ある色を発光する光源が不具合により不点灯となった場合、その他の色を発光する光源が点灯可能であったとしても、バックライト装置の全ての光源を消灯してしまうのが一般的であった。
【特許文献１】特開２００４−５３９８８号公報
【発明の開示】
【発明が解決しようとする課題】
【００１２】
ところが、バックライト装置の不具合発生時に、直ちに全消灯する仕様を貫いてしまうと、製品としてどの部分に不具合があるのか、また、バックライト装置の不具合と推定した場合、バックライト装置のどの部分に不具合があるかが分からない状態となってしまう。
【００１３】
そのため、使用者としては不具合の程度を知ることができず、サービスへ具体的な説明もできず、サービスの対応が遅れる問題が発生してしまう。バックライト装置自体も複数の光源を点灯制御するため、不具合の内容も複雑化しており、不具合発生時により具体的に不具合の内容を知る重要性が高まっている。
【００１４】
また、異なる色を発光する複数の光源を使用する場合であっても、それぞれの光源が完全な補完関係にはなく、発光波長が多少オーバーラップする場合もある。その際、ある光源のみの照明光を用いた場合であっても、ある程度視聴可能と思われる場合もある。そのため、バックライト装置の不具合時にある程度視聴可能な状態を維持することが望ましい。
【００１５】
ここで、不具合が生じた光源のみを消灯すると、画面上で色ムラ、輝度ムラが発生し、視聴者に不快感を与えてしまう。さらに、ある色を発光する光源を消灯した場合、照明光（バックライト光）の色成分が変化し、表示映像の色調が変化したり、メニュー等のＯＳＤ表示が不鮮明な表示となってしまうという問題がある。
【００１６】
本発明は、上述したような課題を解決するためになされたものであり、異なる色を発光する複数種の光源を有する照明装置を用いた表示装置において、ある色を発光する光源に不具合が発生した場合であっても、画像の視聴を可能として、視聴者の利便性を向上させることが可能な表示装置を提供するものである。
【課題を解決するための手段】
【００１７】
本願の第１の発明は、異なる色を発光する第１の光源と第２の光源とを複数有する照明装置と、該照明装置の照明光を入力映像信号に基づいて変調することにより画像表示を行う表示手段とを備えた表示装置において、前記第２の光源に対する輝度制御が不能となった場合、該第２の光源の全部を消灯するとともに、少なくとも前記第１の光源を点灯することを特徴とする。
【００１８】
本願第２の発明は、異なる色を発光する第１の光源と第２の光源とを複数有する照明装置と、該照明装置の照明光を入力映像信号に基づいて変調することにより画像表示を行う表示手段とを備えた表示装置において、前記第２の光源の少なくとも一部が不点灯となった場合、該第２の光源の全部を消灯するとともに、少なくとも前記第１の光源を点灯することを特徴とする。
【００１９】
本願第３の発明は、前記第１又は第２の発明の表示装置において、前記第２の光源の全部を消灯したことを、ユーザに報知することを特徴とする。
【００２０】
本願第４の発明は、前記第３の発明の表示装置において、前記第２の光源の全部を消灯したことを、前記表示手段によってオンスクリーン表示することを特徴とする。
【００２１】
本願第５の発明は、前記第１乃至第４の発明のいずれかの表示装置において、前記第２の光源の全部を消灯しているとき、前記表示手段によるオンスクリーン表示の表示色を変化させることを特徴とする。
【００２２】
本願第６の発明は、前記第１乃至第５の発明のいずれかの表示装置において、前記第２の光源の全部を消灯しているとき、前記表示手段による画像の表示を継続することを特徴とする。
【００２３】
本願第７の発明は、前記第６の発明の表示装置において、前記第２の光源の全部を消灯しているとき、前記入力映像信号の色相を変化させることを特徴とする。
【００２４】
本願第８の発明は、前記第７の発明の表示装置において、前記第２の光源の全部を消灯しているとき、該第２の光源の不点灯による表示映像の色相の変化を補償するように、前記入力映像信号の色相を補正することを特徴とする。
【００２５】
本願第９の発明は、前記第１乃至第８の発明のいずれかの表示装置において、前記第１の光源が冷陰極管（ＣＣＦＬ）であることを特徴とする。
【００２６】
本願第１０の発明は、前記第１乃至第８の発明のいずれかの表示装置において、前記第２の光源が発光ダイオード（ＬＥＤ）であることを特徴とする。
【００２７】
本願第１１の発明は、前記第１乃至第８の発明のいずれかの表示装置において、前記第１の光源が発光ダイオード（ＬＥＤ）であることを特徴とする。
【００２８】
本願第１２の発明は、前記第１乃至第８の発明のいずれかの表示装置において、前記第２の光源が冷陰極管（ＣＣＦＬ）であることを特徴とするものである。
【発明の効果】
【００２９】
本発明によれば、異なる色を発光する複数種の光源を用いた照明装置において、ある色を発光する光源に不具合が生じた場合、照明装置全体を強制的に不点灯とすることなく、不具合の生じた種類の光源の全てに対して不点灯処理を行い、その他の種類の光源を全点灯するため、ユーザは違和感なく画像の視聴を継続することができ、また、光源の不具合をＯＳＤ表示により報知することにより、ユーザの利便性を向上させることができる。
【００３０】
また、上述のように、その他の種類の光源を点灯し続ける際、映像の色相を補正することによって、ある種の光源の不点灯による照明光の色相ずれの影響を軽減することができ、より見やすい映像を提示して、ユーザの快適性を向上させることができる。
【００３１】
また、上述のように、その他の種類の光源を点灯し続ける際、ＯＳＤ表示する文字色を、その他の種類の光源による照明光で表示しやすい色にすることによって、メニュー表示、チャンネル表示、警告表示も明確に表示することが可能となり、ユーザに対する情報の明示性を向上させることができる。
【発明を実施するための最良の形態】
【００３２】
本発明の表示装置の一実施形態を、例えば液晶表示装置について、図１乃至図６とともに説明する。ここで、図１は本実施形態におけるＣＣＦＬバックライト光源、ＬＥＤバックライト光源の各波長の発光輝度レベルを示す説明図、図２は本実施形態の液晶表示装置における要部概略構成を示すブロック図、図３は本実施形態の液晶表示装置におけるＬＥＤバックライト光源不具合時の動作処理を示すフローチャート、図４は本実施形態の液晶表示装置におけるバックライト不具合報知のＯＳＤ表示例を示す説明図、図５は本実施形態の液晶表示装置におけるＬＥＤバックライト光源不点灯時の各波長の表示輝度レベルを示す説明図、図６は本実施形態の液晶表示装置におけるＣＣＦＬバックライト光源不具合時の動作処理を示すフローチャート、である。
【００３３】
ここでは、バックライト装置（照明装置）の光源として、３波長の蛍光管（以下、ＣＣＦＬとも称す）と赤の単色ＬＥＤとから構成され、ＣＣＦＬの赤成分はＣＣＦＬと赤単色ＬＥＤとによる照明光を合成することによって、所定の輝度、色度を得るものについて説明する。例えば、ＣＣＦＬとＬＥＤとの発光波長の関係は、図１に示すように、ＣＣＦＬの色成分はλｂ（青）、λｇ（緑）、λｒ（赤）からなり、ＬＥＤの色成分はλＬＥＤ（赤）からなるものとする。
【００３４】
本実施形態の液晶表示装置は、図２に示すように、入力された映像信号の輪郭強調、ガンマ補正等の映像調整を行うとともに、映像信号の色成分であるＲ、Ｇ、Ｂの信号レベルを独立に可変することができる画像処理回路１を備えている。この画像処理回路１は、主にマイコン４によって動作制御がなされ、メニュー、チャンネル表示等のための表示データがＯＳＤ表示部５より挿入される。この画像処理回路１にて種々の画像処理、画像合成がなされた映像信号は、液晶パネルコントローラ２に出力される。
【００３５】
また、入力された映像データに従って、図示しないソースドライバ、ゲートドライバを制御することにより、バックライト照明光の液晶パネル３の透過量を制御して、液晶パネル３上に画像を表示する液晶パネルコントローラ２を備えている。この液晶パネルコントローラ２の制御は、主にマイコン４により行われる。マイコン４による制御内容は、主に液晶パネル３に応じた各種パラメータの設定である。液晶パネル３は、マトリクス構造の透過型ピクセルの集合体であり、各素子はＲ、Ｇ、Ｂのサブピクセルからなる。
【００３６】
さらに、画像制御とバックライト制御とを行うマイコン４を備えている。このマイコン４は画像処理回路１のパラメータを設定することにより、輪郭強調、ノイズ除去等の画像処理を行う。また、画像の色成分であるＲ、Ｇ、Ｂの信号レベルを変えることによって、表示映像の色相を変えることも行われる。
【００３７】
そしてまた、ＯＳＤ表示部５に文字フォント、文字色を指示することによって、メニュー表示、チャンネル表示、警告表示を画像に合成表示する。ＯＳＤ表示部５は、マイコン４により指示された文字フォント、文字色データに従って実際の表示データを確定し、画像に重畳する信号を生成し、画像処理回路１に出力する。
【００３８】
さらに、マイコン４はＷＢ制御マイコン６と通信することにより、ＬＥＤバックライト光源１０のホワイトバランス制御、ＬＥＤバックライト光源１０の色センサーの異常、ＬＥＤバックライト光源１０の断線等の制御不能情報を得る。また、ＬＥＤ駆動回路８に指令を出すことによって、ＬＥＤバックライト光源１０の点灯、消灯を制御するとともに、蛍光管駆動回路９に指令を出すことによって、ＣＣＦＬバックライト光源１１の点灯、消灯を制御する。
【００３９】
また、故障検出回路１３からＣＣＦＬバックライト光源１１の不点灯等の不具合情報を得る。また、マイコン４とＷＢ制御マイコン６とは双方向通信を行っており、ＷＢ制御マイコン６が暴走した場合は、通信異常によってマイコン４側でそれを検出することができる。
【００４０】
そして、ＷＢ制御マイコン６は、ＬＥＤバックライト光源１０のホワイトバランス制御、ＬＥＤバックライト光源１０の不具合検出を行う。ＬＥＤホワイトバランス制御は色センサー７から得られるバックライト装置全体の照明光の色成分の計測結果に応じて、バックライト装置全体としてのホワイトバランス（白色点）を合わせるように、ＬＥＤバックライト光源１０の発光輝度を増減する。また、色センサー７の動作異常、ＬＥＤ切れを検知し、マイコン４に伝える。色センサー７は、バックライト装置全体の照明光の色成分をＲ、Ｇ、Ｂの輝度レベルとして計測する。
【００４１】
ＬＥＤ駆動回路８は、ＬＥＤバックライト光源１０に適正な電流を供給する。また、駆動電流の変化等によってＬＥＤの断線を検出し、その情報をマイコン４に伝える。蛍光管駆動回路９は、ＣＣＦＬバックライト光源１１を駆動する回路であり、ＣＣＦＬバックライト光源１１の点灯、消灯を制御する。
【００４２】
ＬＥＤバックライト光源１０は、赤単色のＬＥＤを面上に複数配置して液晶パネル３全体を照射する。ここでは、図１に示すように、ＬＥＤによる波長λledの光成分とＣＣＦＬによる波長λｒの光成分とが合成されて赤色の輝度成分となる。ＣＣＦＬバックライト光源１１は、複数のＣＣＦＬを面上に並べた構造であり、液晶パネル３全体を照射する。ＣＣＦＬバックライト光源１１による照明光は、図１に示すように、λｂ、λｇ、λｒの波長の光成分から構成されており、λｒについてはＬＥＤバックライト光源１０により発生するλledの光成分と合成されて赤の色成分となる。
【００４３】
故障検出回路１２は、ＣＣＦＬバックライト光源１１の不具合を検出し、マイコン４に伝える。複数のＣＣＦＬのうちどの蛍光管に不具合があるかを検出する。
【００４４】
次に、上述した構成の液晶表示装置におけるＬＥＤバックライト光源の不具合時の動作について、図３のフローチャートとともに説明する。図３において、先ず、液晶表示装置の電源がオンされる（Ｓ１）と、ＷＢ制御マイコン６の初期化を行う（Ｓ２）。初期化とは、ホワイトバランス制御時の輝度の開始レベルや制御範囲の指定、制御周期等の設定である。そして、ＷＢ制御マイコン６の初期化失敗か否かを判断する（Ｓ３）。初期化失敗した場合、ＷＢ制御マイコン６自体が動いておらず、他の部分も含めて全く動いてない可能性があるためである。初期化失敗と判断された場合には、安全のために液晶表示装置全体の電源をＯＦＦする処理を行う（Ｓ９）。
【００４５】
ＷＢ制御マイコン６の初期化完了した場合は、ＣＣＦＬの点灯処理を行う（Ｓ４）。マイコン４から蛍光管駆動回路９にＣＣＦＬ点灯指令が出され、蛍光管駆動回路９は、ＣＣＦＬバックライト光源１１を点灯させる。また、ＬＥＤ点灯処理を行う（Ｓ５）。マイコン４からＬＥＤ駆動回路８にＬＥＤ点灯指令が出され、ＬＥＤ駆動回路８はＬＥＤバックライト光源１０を点灯させる。
【００４６】
次に、色センサー７が正常に動作しているか否かを判断する（Ｓ６）。色センサー７はバックライト全体の色成分を計測するものであり、具体的には、色成分である赤（Ｒ）、緑（Ｇ）、青（Ｂ）の輝度レベルを計測する。色センサー７の異常の判断は、ＷＢ制御マイコン６によって行われ、Ｒ，Ｇ，Ｂのすべてまたは一部の計測結果が常に一定の値を示す等の異常な値を示すことによって判断する。検知結果はマイコン４に伝えられる。色センサー７が異常であれば、ＬＥＤバックライト光源１０の消灯を行う（Ｓ１０）。
【００４７】
色センサー７が異常であれば、ＬＥＤが切れたかどうかを判断する（Ｓ７）。ＬＥＤバックライト光源１０内のＬＥＤが切れた場合、ＬＥＤ駆動回路内のＬＥＤ駆動電流が変化する。その変化を検知してＬＥＤ切れと判断する。検知の結果はＷＢ制御マイコン６に伝えられ、さらにマイコン４に伝えられる。ＬＥＤ切れが検知された場合は、ＬＥＤバックライト光源１０の消灯を行う（Ｓ１０）。
【００４８】
ＬＥＤ切れがない場合は、ＷＢ制御マイコン６が暴走したかどうかを判断する（Ｓ８）。液晶表示装置が動作中に、ＬＥＤ制御マイコンが暴走する場合がある。原因はＷＢ制御マイコン６内のソフト不具合、静電気等が有り得る。その際、安全のためにＷＢ制御マイコン６の関わるＬＥＤバックライト系を停止する必要がある。そのため、ＬＣＤバックライト光源１０を消灯する必要がある。マイコン４とＷＢ制御マイコン６間の通信異常が発生した場合にＷＢ制御マイコン６の暴走と判断する。暴走と判断された時には、ＬＥＤバックライト光源１０の消灯を行う（Ｓ１０）。
【００４９】
Ｓ１０〜Ｓ１２はＬＥＤバックライト異常時の処理であり、この処理を行った後、入力映像信号の画面表示、メニュー表示、チャンネル切換え表示等を継続して行う（Ｓ１３）。すなわち、Ｓ１０にて、マイコン４はＬＥＤ駆動回路８にＬＥＤバックライト光源１０の消灯指示を出し、ＬＥＤを消灯させる。次に、Ｓ１１にて、ＬＥＤバックライト光源１０の不具合内容をＯＳＤ表示する。表示する内容は、「色センサー異常」「ＬＥＤ断線」「ＬＥＤマイコン異常」等になる。ＯＳＤ表示の一例を図４に示す。
【００５０】
さらに、Ｓ１２にて、入力映像信号の緑、青の信号レベルを所定量下げる。これは、赤色ＬＥＤ消灯によるＲ、Ｇ、Ｂの色成分バランスの変化を補償するためである。正常時のＣＣＦＬとＬＥＤとの合成によるバックライトの波長分布は、図１に示すとおり、ＬＥＤはλＬＥＤの波長からなる。λｒとλＬＥＤの合成光が赤の輝度レベルとなる。ＬＥＤが消灯した場合、図５に示すとおり、赤の表示輝度レベルが下がるため、λｂ、λｇのレベルをそれに応じて下げることによって全体の表示輝度は下がるが、Ｒ、Ｇ、Ｂの輝度バランスをとることができる。
【００５１】
ここで、緑、青の表示輝度レベルを下げる補正は、画像処理回路１で入力映像信号のＧ、Ｂの信号レベルを下げることによって行う。信号レベルの低減量は、ＣＣＦＬとＬＥＤとの輝度比により計算又は測定によって事前に決定しておく。
【００５２】
また、Ｓ１３にて、ＯＳＤ表示の色を緑、青により構成するように変更する。Ｓ１２にて、入力映像信号のＧ、Ｂのレベルを下げるので、ＯＳＤ信号についても同様にＧ，Ｂのレベルを下げることも考えられるが、輝度が下がることにより、ＯＳＤ表示の視認性が悪化することとなる。
【００５３】
そこで、ＯＳＤ信号の色要素については映像信号のＧ、Ｂの信号レベルとは独立とし、信号レベルを下げずＧ，Ｂのみからなる構成として、視認性の悪化を防止する。文字の配色を変更したデザインはあらかじめマイコン４内に記憶しておく。ＯＳＤ表示を緑、青で構成することによって、ＬＥＤ消灯後もはっきり見やすいメニュー、チャンネル、警告表示を行うことができる。
【００５４】
上述のような処理を施した上で、画像表示を含む通常動作を継続する（Ｓ１４）。これによって、視聴者はＬＥＤバックライト光源１０の不点灯後も極端な違和感を感じることなく、表示画像の視聴を続行することができ、かつ、ＬＥＤバックライト光源１０の不具合をＯＳＤ表示により明確に認識することができる。
【００５５】
ここで、ＬＥＤバックライト光源１０の不具合が生じた一部のみを消灯するのではなく、ＬＥＤバックライト光源１０の全てを消灯するようにしているので、画面内の色ムラ、輝度ムラは発生せず、ユーザの不快感を抑制することが可能である。
【００５６】
次に、ＣＣＦＬバックライト光源の不具合時の動作について、図６のフローチャートとともに説明する。図６において、先ず、液晶表示装置の電源がオンされる（Ｓ１０１）と、ＣＣＦＬの点灯処理を行う（Ｓ１０２）。すなわち、マイコン４から蛍光管駆動回路９にＣＣＦＬ点灯指令が出され、蛍光管駆動回路９はＣＣＦＬバックライトを点灯させる。そして、ＬＥＤ点灯処理を行う（Ｓ１０３）。すなわち、マイコン４からＬＥＤ駆動回路８にＬＥＤ点灯指令が出され、ＬＥＤ駆動回路８はＬＥＤバックライト１０を点灯させる。
【００５７】
さらに、ＣＣＦＬの不具合があるか否かを判断する（Ｓ１０４）。ここでは、故障検出回路１２によって、複数のＣＣＦＬについて各々のＣＣＦＬの故障の有無を判別する。判別結果はマイコン４に伝えられる。ＣＣＦＬに不具合がある場合は、ＣＣＦＬバックライト１１を消灯する（Ｓ１０５）。ＣＣＦＬに不具合がない場合は、上述のＳ１０４の処理を繰り返す。
【００５８】
Ｓ１０５〜Ｓ１０７は、ＣＣＦＬバックライト異常時の処理であり、この処理を行った後、入力映像信号の画面表示、メニュー表示、チャンネル切換え等を継続して行う（Ｓ１０８）。すなわち、Ｓ１０５にて、マイコン４は蛍光管駆動回路９にＣＣＦＬバックライト光源１１の消灯指示を出し、ＣＣＦＬを消灯させる。次に、Ｓ１０６にて、ＣＣＦＬバックライト光源１１の不具合内容をＯＳＤ表示する。表示する内容は「ＣＣＦＬ異常」等になる。
【００５９】
さらに、Ｓ１０７にて、ＯＳＤ表示の色を赤に変更する。ＬＥＤの発光波長が赤波長のみのためである。ここで、文字の配色を変更したデザインはあらかじめマイコン４内に記憶しておく。ＯＳＤ表示を赤色で構成することによって、ＣＣＦＬ消灯後もメニュー、チャンネル表示、警告を表示することができる。
【００６０】
上述のような処理を施した上で、画像表示を含む通常動作を継続する（Ｓ１０８）。これによって、視聴者はＣＣＦＬバックライト光源１１の不点灯後も暫定の映像の表示を行い、かつ、ＣＣＦＬバックライト光源１１の不具合をＯＳＤ表示により明確に認識することができる。
【００６１】
ここで、ＣＣＦＬバックライト光源１１の不具合が生じた一部のみを消灯するのではなく、ＣＣＦＬバックライト光源１１の全てを消灯するようにしているので、画面内の色ムラ、輝度ムラは発生せず、ユーザの不快感を抑制することが可能である。
【００６２】
尚、本発明の表示装置は、上述した本発明の主旨を逸脱しない範囲で、様々な実施形態により実現することが可能である。例えば、上述の一実施形態における色相の変更は画像処理回路１で行わず、液晶パネルコントローラ２においてＲ、Ｇ、Ｂの各信号レベルを可変することで行ってもよい。また、上述のＬＥＤバックライトの不具合のユーザに対する報知はＯＳＤ表示でなく、電源ＯＮ／ＯＦＦ確認用のＬＥＤ等の点滅により行ってもよい。
【００６３】
また、上記一実施形態においては、白色を発光するＣＣＦＬと赤色を発光するＬＥＤとの組み合わせによるバックライト装置を用いた場合について説明したが、本発明はこれに限らず、例えば緑、青の色成分を発光するＣＣＦＬと赤の色成分を発光するＬＥＤとの組み合わせによるバックライト装置や、赤、緑、青の３原色をそれぞれ発光するＬＥＤからなるバックライト装置などの各種バックライト装置を用いてもよい。
【００６４】
３原色のそれぞれを発光するＬＥＤのように、異なる色を発光する３種類以上の光源を用いたバックライト装置の場合は、不具合が生じた種類の光源を全て消灯し、それ以外の光源を全て点灯させて、画像表示を継続するようにすればよいことは言うまでもない。
【図面の簡単な説明】
【００６５】
【図１】本発明の一実施形態の液晶表示装置におけるＣＣＦＬバックライト光源、ＬＥＤバックライト光源の各波長の輝度レベルを示す説明図である。
【図２】本発明の一実施形態の液晶表示装置における要部概略構成例を示すブロック図である。
【図３】本発明の一実施形態の液晶表示装置におけるＬＥＤバックライト光源不具合時の動作処理を示すフローチャートである。
【図４】本発明の一実施形態の液晶表示装置におけるバックライト不具合報知のＯＳＤ表示例を示す説明図である。
【図５】本発明の一実施形態の液晶表示装置におけるＬＥＤバックライト光源不点灯時の各波長の表示輝度レベルを示す説明図である。
【図６】本発明の一実施形態の液晶表示装置におけるＣＣＦＬバックライト光源不具合時の動作処理を示すフローチャートである。
【符号の説明】
【００６６】
１…画像処理回路
２…液晶パネルコントローラ
３…液晶パネル
４…マイコン
５…ＯＳＤ表示部
６…ＷＢ制御マイコン
７…色センサー
８…ＬＥＤ駆動回路
９…蛍光管駆動回路
１０…ＬＥＤバックライト光源
１１…ＣＣＦＬバックライト光源
１２…故障検出回路
【図１】
2007147956.tif 000003
【図２】
2007147956.tif 000004
【図３】
2007147956.tif 000005
【図４】
2007147956.tif 000006
【図５】
2007147956.tif 000007
【図６】
2007147956.tif 000008